(57)【特許請求の範囲】
【請求項１】
下面部に、吸込み口と吹出し口とを有する化粧パネルが取付けられる、筐体である空気調和機本体と、
この空気調和機本体内部の略中央部位に配置され、軸方向から空気を吸込んで周方向へ吹出す送風機と、
この送風機の吹出し側である、送風機の周囲を囲んで配置される熱交換器と、
この熱交換器の下部に配置され、熱交換器に生成され、かつ流下するドレン水を受けるドレンパンと、
このドレンパン内に、軸方向を垂直に向けて配置され、下端部に備えた吸込み口体からドレンパン内に集溜するドレン水を吸上げるドレンポンプと、
前記ドレンパンに設けられ、ドレンパンに残留するドレン水を外部へ排出するためのドレン排出口と、
このドレン排出口に開閉自在に嵌め込まれ、底面を前記ドレンパン底面と略同一高さに設定したドレン栓と、を具備し、
前記ドレン栓の底面に、前記ドレンパン底面よりも下方に凹陥する凹状部が設けられ、
このドレンパン栓の凹状部底面と前記吸込み口体を対向するとともに、吸込み口体先端はドレンパン底面およびドレン栓底面よりも高い位置に支持して前記ドレンポンプが配置され、
前記ドレン栓の凹状部周辺の底面上に、抗菌剤を収容する抗菌剤収容部が設けられる
ことを特徴とする天井埋込み形空気調和機。
【請求項２】
前記抗菌剤収容部は、抗菌剤カバーによって覆われる
ことを特徴とする請求項１記載の天井埋込み形空気調和機。
【請求項３】
前記抗菌剤カバーは、前記抗菌剤収容部に取付けられた状態で、ドレン栓底面と平行な面部と、この面部とは直交する方向へ折り曲げられる面部との２面構成であり、
それぞれの面部は、ドレン水の流通が可能な網部からなり、互いの面部は折曲げ自在な薄肉部を介して連結される
ことを特徴とする請求項２記載の天井埋込み形空気調和機。
【請求項４】
前記抗菌剤収容部は、前記ドレン栓に複数設けられる
ことを特徴とする請求項１ないし請求項３のいずれかに記載の天井埋め込み形空気調和機。
【発明の詳細な説明】
【技術分野】
【０００１】
本発明は、天井埋込み形空気調和機に係り、特にドレンパンに取付けられるドレン栓の構造改良に関する。
【背景技術】
【０００２】
天井埋込み形空気調和機は、空気調和機本体が天井内に取付けられていて、この本体内の略中央部に送風機が配置され、さらに送風機を囲み、平面視で略矩形枠状の熱交換器が配置される。熱交換器の下部にドレン水を受けるドレンパンが設けられ、ドレンパンの上部にはドレン水を屋外へ排出するドレンポンプが配置される。
【０００３】
ドレン水の吸込みを確実にするためドレンポンプの吸込み口体先端と、ドレンパン底面とがある程度の間隙（通常：６ｍｍ）を存している。その反面、ドレンパンには少なくとも前記間隙深さのドレン水が溜まっていて、ドレンポンプの停止が長期に亘ると、残留するドレン水に雑菌類が繁殖し易く、水垢や異臭の発生要因となる。
【０００４】
そこで、たとえば［特許文献１］では、ドレンパンにドレンポンプ直径よりも大なる開口部を設け、この開口部にドレン栓を開閉自在にねじ込んでいる。ドレン栓底面をドレンパン底面と同じ高さに設定し、ドレンポンプをドレン栓と略同芯に揃え、ドレンポンプの吸込み口体をドレン栓底面と所定間隔を存して取付けている。
【０００５】
メンテナンス時には、ドレン栓を取外して開口部を開放する。ドレンパンに残留していたドレン水が開口部から流下するので、これを容器に受ける。さらに、開口部からドレンポンプを取外して清掃でき、ドレンポンプとドレンパンのメンテナンス作業を確実に行える。
【先行技術文献】
【特許文献】
【０００６】
【特許文献１】特開２００９−１０３３８４号公報
【発明の概要】
【発明が解決しようとする課題】
【０００７】
しかるに、［特許文献１］の技術では、ドレンパンは、平面視で略矩形枠状に形成される熱交換器の下部に配置されるので、面積が大であることは変りが無い。そのうえ、依然としてドレンポンプの吸込み口体先端とドレンパン底面との間に、必要最低限の間隙を確保しなければならない。
【０００８】
換言すれば、ドレンパン底面と１〜２ｍｍ程度に接近するよう、前記ドレンポンプを極端に下げて設置することができない。そのため、冷房運転の停止時には、面積の大なるドレンパンに多量のドレン水が残ってしまうことも変りが無く、ドレンポンプの運転停止が長期に亘れば、上述したような水垢・異臭等の不具合発生が避けられない。
【０００９】
また［特許文献１］では、ドレン栓に抗菌剤を収容する凹部が設けられていて、ドレン水に抗菌剤が溶けて雑菌類の除菌をなしている。ただし、ドレンパンには常に多量のドレン水が溜まっており、抗菌剤は常時ドレン水中にある。そのため、抗菌剤は継続して溶け出し、抗菌剤の抗菌成分が無くなるまでの時間が短いという問題もある。
【００１０】
前記目的を満足するため本発明は、筐体である空気調和機本体の下面部に吸込み口と吹出し口とを有する化粧パネルを取付け、軸方向から空気を吸込んで周方向へ吹出す送風機を空気調和機本体内部の略中央部位に配置し、熱交換器を送風機の吹出し側である送風機を囲んで配置し、熱交換器から流下するドレン水を受けるドレンパンを熱交換器の下部に配置し、下端部に備えた吸込み口体からドレンパン内に集溜するドレン水を吸上げるドレンポンプをドレンパン内に軸方向を垂直に向けて配置し、ドレンパンに残留するドレン水を外部へ排出するためのドレン排出口をドレンパンに設け、ドレン栓をドレン排出口に開閉自在に嵌め込み底面をドレンパン底面と略同一高さに設定した構成の天井埋め込み型空気調和機であり、
前記ドレン栓の底面に、ドレンパン底面よりも下方に凹陥する凹状部を設け、このドレンパン栓の凹状部底面と吸込み口体を対向するとともに、吸込み口体先端はドレンパン底面およびドレン栓底面よりも高い位置に支持してドレンポンプを配置し、ドレン栓の凹状部周辺の底面上に抗菌剤を収容する抗菌剤収容部を設けた。
【課題を解決するための手段】
【００１１】
前記目的を満足するため本発明は、筐体である空気調和機本体の下面部に吸込み口と吹出し口とを有する化粧パネルを取付け、軸方向から空気を吸込んで周方向へ吹出す送風機を空気調和機本体内部の略中央部位に配置し、熱交換器を送風機の吹出し側である送風機を囲んで配置し、熱交換器から流下するドレン水を受けるドレンパンを熱交換器の下部に配置し、下端部に備えた吸込み口体からドレンパン内に集溜するドレン水を吸上げるドレンポンプをドレンパン内に軸方向を垂直に向けて配置し、ドレンパンに残留するドレン水を外部へ排出するためのドレン排出口をドレンパンに設け、ドレン栓をドレン排出口に開閉自在に嵌め込む構成の天井埋込み形空気調和機であり、  
前記ドレン栓に、ドレンパン底面よりも下方に凹陥する凹状部を設け、このドレンパン栓の凹状部底面と吸込み口体が対向するようドレンポンプを配置する。
【発明の効果】
【００１２】
本発明によれば、ドレンポンプのドレン水吸上げ作用に支障がなく、ドレンポンプの取付け位置を下げることが可能となり、ドレンパンのドレン水位の低下を図り、残留するドレン水量の低減化を得る等の効果を奏する。
【図面の簡単な説明】
【００１３】
【図１】本発明における一実施の形態に係る、吸込みグリルを開放した天井埋め込み形空気調和機の斜視図。
【図２】同実施の形態に係る、化粧パネルを取外した空気調和機本体の下面図。
【図３】同実施の形態に係る、ドレン栓を取外した空気調和機本体の一部斜視図。
【図４】同実施の形態に係る、ドレンポンプとドレン栓の斜視図と、ドレンポンプの吸込み口体とドレン栓との相対位置関係を示す拡大した断面図。
【図５】同実施の形態に係る、ドレン栓を分解した斜視図と、組立てられたドレン栓の斜視図。
【図６】同実施の形態に係る、成形された抗菌剤カバーの斜視図と、折曲げ状態にある抗菌剤カバーの斜視図。
【図７】同実施の形態に係る、ドレン栓の斜視図。
【図８】同実施の形態に係る、ドレン栓と、その周辺部の下面図。
【図９】本発明における他の実施の形態に係る、ドレン栓を分解した斜視図と、組立てられたドレン栓の斜視図。
【発明を実施するための形態】
【００１４】
以下、本発明の実施の形態を、図面にもとづいて説明する。  
図１は、本発明の一実施の形態に係る天井埋め込み形空気調和機を見上げた状態での斜視図である。図２は、化粧パネルを取外した空気調和機本体の下面図である。図３は、ドレン栓を取外した空気調和機本体の一部斜視図である。
【００１５】
天井埋め込み形空気調和機は、天井板に設けられた取付け用開口部に室内側から挿入され、吊り下げボルト等を介して、いわゆる天井裏に吊持固定される空気調和機本体１と、この空気調和機本体１の下面部に取付けられ天井板から室内側に露出する化粧パネル２とから構成される。
【００１６】
前記空気調和機本体１は、下面部が開口し、天板部１ａと側面部に金属薄板を加工してなる板金製のケーシング３を備えている。このケーシング３の内周面は発泡スチロール材等からなる断熱材が取付けられ、内周面全面に亘って断熱材で覆われている。したがって、空気調和機本体１は断熱構造をなしている。
【００１７】
空気調和機本体１内部の略中央部には、送風機５が配置される。この送風機５は、軸方向から空気を吸込んで周方向へ吹出す、いわゆる遠心ファン（「ターボファン」とも呼ばれる）を備えている。送風機５の上方部位は天板部１ａで覆われるので、空気調和機本体１の下面部が送風機５の吸込み側となる。
【００１８】
前記送風機５の吹出し側である周囲を囲むようにして、平面視で略四角枠状の熱交換器６が配置される。前記熱交換器６の下部に沿ってドレンパン７が設けられていて、冷房運転時に熱交換器６の熱交換作用にともなって生成されるドレン水を受ける。  
前記ドレンパン７は、各辺部の周壁外面が空気調和機本体１の周壁内面に嵌め込まれるうえに、各辺部に内側ヘ凹陥する凹陥部ａが形成される。さらに、ドレンパン７の、一つの内角隅部のみが内径方向へ向って突出され、この突部７ａのドレンパン７底面壁にドレン排出口８が設けられる。
【００１９】
前記ドレン排出口８は、メンテナンス時などドレンパン７に残留するドレン水や水垢状物質等（以下、これらを総称して、「ドレン水」と呼ぶ）を排出処理するための開口部であるが、後述するように、ドレンポンプ１０を空気調和機本体１から取外し、必要なメンテナンスを行うためのメンテナンス用口を兼ねる。
【００２０】
前記ドレン排出口８は、樹脂材から成形される、ドレン栓Ｋによって開閉自在に閉塞される。すなわち、ドレン排出口８の内周面はねじ孔加工された雌ねじ部８ａとなっていて、ドレン栓Ｋには前記雌ねじ部８ａに螺合するねじ径の雄ねじ部３１が設けられる。  
図１および図２は、ドレン排出口８からドレン栓Ｋを取外した状態を示している。図３は、図２のドレン排出口８からドレン栓Ｋを取外しているが、そのまま残し、ドレン排出口８とその周辺部分を拡大して示している。
【００２１】
ドレン栓Ｋを取外して開口されたドレン排出口８から、後述するドレンポンプ１０が見えている。実際に、ドレンポンプ１０は軸方向を垂直に立て、ドレンポンプ１０の中心軸がドレン排出口８の中心軸と略一致するよう、同芯位置を選択してドレン排出口８の真上部位に取付けられる。
【００２２】
しかも、ドレン排出口８の直径はドレンポンプ１０の直径よりも大に形成されている。ドレン栓Ｋを取外すことにより、ドレン排出口８からドレンポンプ１０の外周面が完全に見える。そのため、メンテナンス時など必要に応じてドレンポンプ１０を取外すことにより、ドレンポンプ１０はドレン排出口８に対して挿通自在である。
【００２３】
前記ドレン排出口８の近傍部位で、かつドレンパン７の内側一部に沿って電気部品箱１１が設けられる。この電気部品箱１１は、空気調和機本体１内に収容される送風機５やドレンポンプ１０等の電動部品を制御する電気部品および、リモコンに対する送受信をなす電気部品等を収容するためのものである。
【００２４】
前記ケーシング３の下面開口部は、図１に示す化粧パネル２によって閉成されている。この化粧パネル２は、たとえば合成樹脂材から成型されて美麗に仕上げられており、天井板から室内に対して露出し、空気調和機本体１周面と天井板の取付け用開口部との隙間を遮蔽する。
【００２５】
化粧パネル２の略中央部には吸込み口１２が開口されていて、フィルタを備えた吸込みグリル１３によって開閉自在である。図１は吸込みグリル１３を開放して吸込み口１２を露出した状態を示している。図２は空気調和機本体１から化粧パネル２を取外した状態を示している。
【００２６】
メンテナンス時には、図１に示すように吸込みグリル１３を回動し、吸込み口１２を開放することでフィルタを取外すことができ、室内床上でのフィルタの掃除が可能である。
【００２７】
化粧パネル２の各辺部に沿って吹出し口１５が設けられていて、これは空気調和機本体１側面壁とドレンパン７の凹陥部ａとで形成される隙間部に対向する。
【００２８】
熱交換器６を基準にした熱交換空気の流れは、吸込み口１２側が熱交換空気を導入する「１次側」と呼ぶとすると、吹出し口１５側が熱交換空気を導出する「２次側」となる。前記ドレン排出口８は吸込み口１２と対向する部位に設けられるところから、熱交換器６の１次側に設けられる。
【００２９】
化粧パネル２と送風機５との間にはベルマウス１６が設けられ、周囲を前記ドレンパン７で囲まれる。ベルマウス１６は、送風機５側が小径で、化粧パネル２の吸込み口１２側が大径のホーン状に形成される。吸込み口１２の一部は前記電気部品箱１１によって遮蔽されているが、そのほとんど大部分は開口して送風案内の機能は保持している。
【００３０】
つぎに、ドレンポンプ１０とドレン栓Ｋについて詳述する。  
図４（Ａ）は、ドレンポンプ１０とドレン栓Ｋとの相対位置関係を示す斜視図であり、図４（Ｂ）はドレンポンプ１０の吸込み口体１０ａとドレン栓Ｋとの相対位置関係を示す拡大断面図である。
【００３１】
前記ドレンポンプ１０は、筒状に形成される吸込み口体１０ａを下部側に向け、上端部が図示しないポンプ支持具に取付けられ、軸芯が垂直に向けられる。ドレンポンプ１０の下部周面一部から排水管２０が突設され、前記ポンプ支持具を避けて屋外へ延出される。
【００３２】
ドレンポンプ１０の吸込み口体１０ａはドレン栓Ｋの中心部と対向して配置され、吸込み口体１０ａ先端とドレン栓Ｋとは、後述するように所定間隔を存して配置される。なお、ドレンポンプ１０の他の部分および排水管２０と、ドレン栓Ｋとは接触していない。
【００３３】
図５（Ａ）は、ドレン栓Ｋと、その付属部品を分解して示す斜視図であり、図５（Ｂ）は組立てた状態のドレン栓Ｋの斜視図である。  
ドレン栓Ｋは、前記ドレン排出口８の直径よりも大なる直径の円形状のフランジ部３０と、このフランジ部３０の一側面に一体に突設され、フランジ部３０直径よりも小さい直径の前記雄ねじ部３１を有する。雄ねじ部３１のねじ径は、ドレン排出口８の周面に沿って設けられる雌ねじ部８ａのねじ径と一致することは先に説明した通りである。
【００３４】
さらに、前記雄ねじ部３１の基端部分には周方向に沿って複数のドレン排水用孔３２が所定の間隔を存して設けられる。一方、図３に示すドレン排出口８の雌ねじ部８ａの基端部分には、１つのドレン排水用孔３２と略同一寸法のドレン排水用溝３３が、１ヶ所だけ設けられる。
【００３５】
ドレン栓Ｋをドレン排出口８に完全に嵌め込んだ状態で、いずれのドレン排水用孔３２もドレン排水用溝３３に連通しないよう設定されている。ドレン排出口８を開口すべくドレン栓Ｋを回動していくと、いずれかのドレン排水用孔３２がドレン排水用溝３３に連通する。
【００３６】
このとき、ドレンパン７に溜まっているドレン水がドレン排水用孔３２とドレン排水用溝３３を介して排出される。さらにドレン栓Ｋを回動していくと、ドレン排水用孔３２一部がドレン排水用溝３３から離れるので、一旦はドレン水の排水量が低減するが、また別のドレン排水用孔３２がドレン排水用溝３３に連通して排出される。
【００３７】
すなわち、ドレン栓Ｋを回動してドレン排出口８を完全開放するまでの間に、ドレン水が徐々に排水される。これに対してドレン排水用孔３２とドレン排水用溝３３が無い構成では、ドレン栓を完全に外すまでドレン水の排出が無く、ドレン排出口を完全開放したとき瞬時に、かつ大量にドレン水が排水されてしまうので、これを防止する。  
ここでは、ドレン栓Ｋの雄ねじ部３１より外側で周縁までの面を、「フランジ面」３４と呼び、内側の面を、「ドレン栓底面」３５と呼ぶ。雄ねじ部３１の外周側にはパッキン３７が嵌め込まれていて、前記フランジ面３４上に載る。
【００３８】
前記ドレン栓底面３５の略中央部に、平面視で矩形状の凹状部３８が形成される。前記凹状部３８の底面は、ドレン栓底面３５よりも下方に突出しているところから、凹状部３８はドレン栓底面３５に凹陥形成される。  
実際に、図４（Ｂ）に示すように、凹状部３８の深さ寸法は約８ｍｍに設計されていて、ドレン栓Ｋをドレン排出口８に取付けた状態で、ドレン栓底面３５はドレンパン７底面と略同一高さにある。したがって、凹状部３８の底面はドレンパン７の底面よりも約８ｍｍだけ低い位置に設定されることになる。
【００３９】
さらに、ドレン栓Ｋにおける凹状部３８の一辺部と、雄ねじ部３１内側との間のドレン栓底面３５に、抗菌剤収容部４０が一体に設けられる。  
前記抗菌剤収容部４０は、前記凹状部３８の一辺部に沿い、互いに狭小の間隙を存して連設される複数の凹字状板片からなる内枠部４１と、この内枠部４１の両側端に連設され、内枠部４１とは直交する方向に延出されるとともに、雄ねじ部３１一部に沿うよう曲成される外枠部４２との組合せからなる。
【００４０】
なお説明すると、内枠部４１を構成する複数の凹字状板片相互に間隙があるとともに、凹字状板片自体も上端から略中央部に亘って空間が形成される。外枠部４２自体は全長に亘って板部からなり、空間部は形成されていないが、外枠部４２の上端と内枠部４１の上端とで開口面が形成される。  
このように抗菌剤収容部４０を構成する内枠部４１および外枠部４２は、ドレン栓底面３５上に設けられていて、これら内外枠部４１，４２に囲まれる状態で抗菌剤４３が収容される。したがって、前記抗菌剤４３もドレン栓底面３５上に置かれることになる。
【００４１】
抗菌剤４３は、水溶性ガラス材に複数の銀粒を混在して成形されるものであって、水中に浸漬することで、時間をかけて徐々にガラス材が溶け出し、銀イオンが水中に放出される。したがって、ドレン水中に存在する雑菌類が銀イオンによって死滅し、長期に亘って水垢や異臭等の発生を防止できる。
【００４２】
前記抗菌剤収容部４０には、結晶性の樹脂材から成形される抗菌剤カバー４５が嵌め込まれる。この抗菌剤カバー４５を形成する結晶性の樹脂材として、たとえば、ポリプロピレン、ポリエチレン、ポリアセタール等があり、柔軟性に富むことが特徴である。これに対して非結晶性樹脂材であるプリスチレン、ＡＢＳ樹脂材等は、柔軟性が劣る。
【００４３】
前記抗菌剤カバー４５は、垂直方向に折り込まれる垂直面部４５Ａおよび、この垂直面部４５Ａと一体に水平方向に折り込まれる水平面部４５Ｂとから構成される。すなわち、抗菌剤カバー４５は結晶性の樹脂材から成形されるので、垂直面部４５Ａと水平面部４５Ｂとの折り込みが円滑になされる。  
前記内枠部４１の両側端には、それぞれドレン栓底面３５と平行に突出する鉤状の掛止部４７ａが設けられる。さらに、前記外枠部４２の両側部上端には、ドレン栓底面３５方向とは直交する方向である上方向へ突出する鉤状の掛止部４７ｂが設けられる。
【００４４】
一方、抗菌剤カバー４５の垂直面部４５Ａと水平面部４５Ｂのそれぞれ両側端部には矩形状の掛合用孔４８ａ，４８ｂが設けられている。垂直面部４５Ａの掛合用孔４８ａは内枠部４１の掛止部４７ａに挿入し、水平面部４５Ｂの掛合用孔４８ｂは外枠部４２の掛止部４７ｂに挿入して、抗菌剤カバー４５は抗菌剤収容部４０に取付け固定される。
【００４５】
図６（Ａ）は、成形された抗菌剤カバー４５の斜視図であり、抗菌剤収容部４０に取付け固定される以前の状態を示している。図６（Ｂ）は、抗菌剤収容部４０に取付け固定される姿勢の抗菌剤カバー４５の斜視図である。
【００４６】
抗菌剤カバー４５の垂直面部４５Ａは、抗菌剤収容部４０を構成する内枠部４１と略同一形状をなす。垂直面部４５Ａの略全面に亘って縦横所定の間隔を存して開口する小孔群からなる網部４９Ａが設けられ、かつ垂直面部４５Ａの左右両端部には、先に説明した掛合用孔４８ａが開口される。
【００４７】
抗菌剤カバー４５の水平面部４５Ｂは、抗菌剤収容部４０を構成する外枠部４２と略同一形状をなす。水平面部４５Ｂの略全面に亘って縦横所定の間隔を存して開口する小孔群からなる網部４９Ｂが設けられ、かつ水平面部４５Ｂの左右両端部には、先に説明した掛合用孔４８ｂが開口される。
【００４８】
図６（Ａ）では垂直面部４５Ａに隠れて見えないが、図６（Ｂ）に示すように、垂直面部４５Ａと水平面部４５Ｂとの間には、薄肉部である、ヒンジ４６が介在し、垂直面部４５Ａと水平面部４５Ｂが一体に連設される。  
抗菌剤カバー４５の成形時は図６（Ａ）の状態になるよう、金型が製作される。すなわち、全体的に平板状をなすので、金型製作が容易であり、部品製造コストに影響を与えることが少ない。
【００４９】
抗菌剤カバー４５を抗菌剤収容部４０に取付ける際は、図６（Ｂ）に示すように、垂直面部４５Ａを折り曲げる。このとき、抗菌剤カバー４５を柔軟性に富む結晶性の樹脂材から成形したので、ヒンジ４６を介しての折曲げが容易で作業性がよい。  
再び図５（Ｂ）に示すように、抗菌剤収容部４０に抗菌剤４３を収容した後、抗菌剤カバー４５を抗菌剤収容部４０に取付ける。抗菌剤カバー４５の水平面部４５Ｂがドレン栓Ｋのドレン栓底面３５と平行になり、この面部とは直交する方向に垂直面部４５Ａが折り曲げられる。  
抗菌剤４３自体は抗菌剤カバー４５で遮蔽されるが、抗菌剤カバー４５を構成する垂直面部４５Ａと水平面部４５Ｂには、小孔群からなる網部４９Ａ，４９Ｂが設けられている。
【００５０】
しかも、抗菌剤収容部４０を構成する内枠部４１は部分的に間隙を有し、内枠部４１と外枠部４２の上端で開口面が形成される。内枠部４１に抗菌剤カバー４５の垂直面部４５Ａが嵌め込まれ、内枠部４１と外枠部４２との開口面に抗菌剤カバー４５の水平面部４５Ｂが嵌め込まれる。  
したがって、実際にドレン栓Ｋをドレン排出口８に嵌め込み、ドレンパン７にドレン水が溜まった状態で、抗菌剤カバー４５を介してドレン水が抗菌剤収容部４０に浸入する。そのため、抗菌剤４３がドレン水に漬かることになる。
【００５１】
図４（Ａ）（Ｂ）に示すように、ドレン栓Ｋの凹状部３８にドレンポンプ１０の吸込み口体１０ａが対向して支持される。凹状部３８の縦横寸法は吸込み口体１０ａの直径よりも大に形成される。上述のように凹状部３８の深さ寸法を約８ｍｍに設計し、ドレンポンプ吸込み口体１０ａ先端を凹状部３８底面から約１０ｍｍの位置に支持する。
【００５２】
したがって、ドレンポンプ吸込み口体１０ａ先端はドレン栓底面３５から約２ｍｍ離れた位置にある。ドレン栓底面３５とドレンパン７底面とは略同一高さにあるから、ドレンポンプ吸込み口体１０ａ先端はドレンパン７底面から約２ｍｍ離れて支持されることになる。
【００５３】
図７は、ドレン排出口８への取付け姿勢にあるドレン栓Ｋを見上げて示す、ドレン栓Ｋの斜視図である。図８は、実際にドレン排出口８にドレン栓Ｋを取付けた状態の、ドレン栓Ｋとその周辺部を見上げた下面図である。
【００５４】
先に説明したドレン栓Ｋのフランジ面３４およびドレン栓底面３５とは反対側の面を示すこととなり、この面を、「ドレン栓下面」３６と呼ぶ。  
ドレン栓下面３６には、図の時計回り方向に矢印５０ａが描かれ、この矢印５０ａに沿って「ＣＬＯＳＥ］の文字が刻印される。さらに、前記矢印５０ａと対称位置に反時計回り方向に矢印５０ｂが描かれ、この矢印５０ｂに沿って「ＯＰＥＮ」の文字が刻印される。
【００５５】
ドレン栓Ｋをドレン排出口８に取付ける場合には、「ＣＬＯＳＥ」の矢印５０ａ方向にドレン栓Ｋを回動すればよい。ドレン排出口８に取付けられているドレン栓Ｋをドレン排出口８から取外す場合には、「ＯＰＥＮ」の矢印５０ｂ方向に回動することとなる。  
ドレン栓下面３６の前記矢印５０ａ，５０ｂ相互間である略中央部で、ドレン栓下面３６側に把手部５１が突出形成される。この把手部５１は、所定の幅寸法をなし、一端部が三角状に形成されて、全体的に一方向に向く矢印形状をなしている。
【００５６】
把手部５１の略中央部は、前記凹状部３８の外面に相当し、星のマークが描かれている。把手部５１の三角状端部とは反対側の端部は平行な直状部に形成され、これら直状部相互間に円筒状の突部が設けられる。前記星マークと、直状部および円筒状突部はデザイン的なものであって、作用的には何らの関係もない。
【００５７】
把手部５１の両側部外面側に小突部５２が連続して設けられる。ドレン栓Ｋをドレン排出口８に取付けるとき、もしくはドレン排出口８からドレン栓Ｋを取外すとき、把手部５１の小突部５２をもっていずれかの矢印５０ａ，５０ｂ方向に回動操作すれば、小突部５２が滑り止めとなり、作業し易い。
【００５８】
さらに、把手部５１一端の三角状に形成される頂点ｄと間隙を存して、ドレン栓下面３６に位置合せマーク５３が設けられている。一方、図８に示すようにドレン排出口８の周辺部には、三角状の基準位置マーク５４が設けられる。  
ドレン排出口８にドレン栓Ｋを取付けた状態で、把手部５１の三角状枠頂点ｄ位置および位置合せマーク５３と、ドレン排出口８周辺部の基準位置マーク５４が直列に並ぶようにしなければならない。
【００５９】
すなわち、この状態で先に説明したドレン栓Ｋに設けられるドレン排水用孔３２のいずれも、ドレン排出口８に設けられるドレン排水用溝３３に対向せず、ドレン排出口８の完全閉塞が得られる。  
ドレン排出口８の基準位置マーク５４に対してドレン栓Ｋの位置合せマーク５３がずれた位置にあると、ドレン栓Ｋのいずれかのドレン排水用孔３２が、ドレン排出口８のドレン排水用溝３３一部に連通し、ここからドレン水が漏れる虞れがある。
【００６０】
このようにして構成される天井埋め込み形空気調和機において、送風機５が駆動されると室内空気が吸込みグリル１３と吸込み口１２を介し、ベルマウス１６に案内されて空気調和機本体１内に吸引される。本体１内において室内空気は熱交換器６を流通し、熱交換される。
【００６１】
前記熱交換器６を流通した熱交換空気は吹出し口１５から室内へ吹出され、室内の空気調和をなす。特に冷房運転時には、熱交換器６の熱交換作用にともなってドレン水が生成され、ドレンパン７に滴下する。時間の経過とともにドレンパンにおけるドレン水の集溜量が増大し、水位が上昇する。
【００６２】
フロートスイッチがドレンパン７内のドレン水の水位を常時検知していて、基準値を越えたことを検知すると制御部へ信号を送る。制御部からドレンポンプ１０へ駆動信号が送られ、ドレンポンプ１０の駆動が開始される。ドレンパン７内のドレン水はドレンポンプ１０に吸上げられ、排水管２０を介して屋外へ排出される。
【００６３】
上述したように、ドレンポンプ１０の吸込み口体１０ａ先端は、ドレン栓底面３５の凹状部３８底面（深さ約８ｍｍ）から約１０ｍｍ上方部位にセットされている。また、ドレン栓底面３５とドレンパン７底面とは略同一高さにあるので、ドレンポンプ吸込み口体１０ａ先端はドレンパン７底面と２ｍｍしか離れていない。
【００６４】
したがって、ドレン水の水位が約２ｍｍ近くなるまで、ドレンポンプ１０はドレン水を吸上げてから、運転停止することになる。ドレンポンプ１０が停止した後、排水管２０内に残るドレン水が戻り、ドレンパン７には２ｍｍ近くのドレン水が溜まる。  
結局、ドレンパン７に残留するドレン水の量は、従来構成のものと比較してすこぶる低減化する。たとえ長期に亘ってドレンポンプ１０の運転を停止するようなことがあっても、残留するドレン水は、自然に蒸発するので水垢等の発生はほとんど見られなくてすむ。
【００６５】
さらに、ドレン栓Ｋに抗菌剤４３を収容する抗菌剤収容部４０が設けられ、抗菌剤カバー４５で覆われて、ドレンパン７に溜められるドレン水に水没している。抗菌剤４３から銀イオンが徐々に放出され、ドレン水中にいる雑菌類を除菌するので、ドレン水が溜まった状態で長期に亘っても、水垢や異臭等の発生が防止される。
【００６６】
ドレンパン７内のドレン水を最大限排出した状態で、ドレン栓底面３５に設けられる抗菌剤収容部４０と、抗菌剤４３および抗菌剤カバー４５は一部が水没しているに過ぎず、ほとんど大部分はドレン水から露出する。この状態が長期に亘っても、少量の抗菌剤４３がドレン水に溶け出るだけですむので、抗菌剤４３の長寿命化を得られる。
【００６７】
また、ドレンパン７のドレン水が蒸発した後でもドレン栓Ｋの凹状部３８には最後までドレン水が残るが、抗菌剤４３が溶け出たドレン水である。長期に亘って凹状部３８にドレン水が溜まった状態でも、水垢や異臭等の発生が防止される。さらに、ドレンパン７全体でのドレン水の量に比して、凹状部３８に溜まるドレン水の量は極く一部でしかないから、ドレンパン７に残留するドレン水の量としては無視できる。
【００６８】
樹脂製のドレン栓Ｋにとって、抗菌剤収容部４０を内枠部４１と外枠部４２とから構成できる。したがって、ドレン栓Ｋにおける抗菌剤収容部４０の金型抜き方向が一方向になり、金型構造の簡素化を得られ、部品費の低減化に寄与する。
【００６９】
図９（Ａ）は本発明における他の実施の形態に係る、ドレン栓Ｋａと構成部品を分解して示す斜視図であり、図９（Ｂ）は組立てられたドレン栓Ｋａの斜視図である。  
ドレン栓Ｋａは、フランジ部３０が成形されるとともに、ドレン排出口８の雌ねじ部８ａに螺合可能な雄ねじ部３１が突設される。雄ねじ部３１の外側に形成されるフランジ面３４にパッキン３７が載り、雄ねじ部３１の内側に形成されるドレン栓底面３５の略中央部に凹状部３８が設けられていることは変りが無い。
【００７０】
ここでは、前記凹状部３８を挟んで、この両側に抗菌剤収容部４０Ａ，４０Ｂが設けられる。互いの抗菌剤収容部４０Ａ，４０Ｂは、先に説明したものと全く同一の内枠部４１と外枠部４２とからなり、同一の抗菌剤４３が収容される。そして、抗菌剤収容部４０Ａ，４０Ｂには先に説明した抗菌剤カバー４５が取付けられる。
【００７１】
作用的には、先に説明したドレン栓Ｋと全く同一であるが、ドレン栓Ｋａに複数の抗菌剤収容部４０Ａ，４０Ｂを備えることにより、抗菌剤４３の収容量が増大し、必要に応じた抗菌剤４３収容量の調整幅を広げることができる。  
なお、本発明は上述した実施の形態そのままに限定されるものではなく、実施段階では要旨を逸脱しない範囲で構成要素を変形して具体化できる。そして、上述した実施の形態に開示されている複数の構成要素の適宜な組合せにより種々の発明を形成できる。
【符号の説明】
【００７２】
１２…吸込み口、１５…吹出し口、２…化粧パネル、１…空気調和機本体、５…送風機、６…熱交換器、７…ドレンパン、１０ａ…吸込み口体、１０…ドレンポンプ、８…ドレン排出口、Ｋ、Ｋａ…ドレン栓、３８…凹状部、４３…抗菌剤、４０…抗菌剤収容部、４５…抗菌剤カバー、３５…ドレン栓底面、４５Ｂ…水平面部、４５Ａ…垂直面部、４９Ａ，４９Ｂ…編み部、４６…薄肉部。
【図１】
0005492601.tif 000002
【図２】
0005492601.tif 000003
【図３】
0005492601.tif 000004
【図４】
0005492601.tif 000005
【図５】
0005492601.tif 000006
【図６】
0005492601.tif 000007
【図７】
0005492601.tif 000008
【図８】
0005492601.tif 000009
【図９】
0005492601.tif 000010